(57)【要約】      （修正有）【課題】癌細胞由来の遊離ＤＮＡを測定するためのラマン定量用バイオチップを提供する。【解決手段】銀ハロゲン化物又はハロゲンを含む銀酸化物の複合針状ナノ結晶群を含み、水中で負電荷を示し、正電荷の癌関連物質を吸着して電荷移動錯体と形成可能であるとともに光照射により銀粒子を析出可能で、レーザー照射により表面プラズモン増強効果が得られる領域を有するバイオチップを提供する。このバイオチップは水中でガン由来遊離ＤＮＡを選択的に吸着可能であるとともに、レーザー光照射により吸着した遊離ＤＮＡの表面増強ラマンスペクトル（ＳＥＲＳ）を検出可能である。【選択図】図９
2014238384.tif 000002
【特許請求の範囲】
【請求項１】
銀ハロゲン化物又はハロゲンを含む銀酸化物の複合針状ナノ結晶群を含み、水中で負電荷を示し、正電荷の癌関連物質を吸着して電荷移動錯体と形成可能であるとともに光照射により銀粒子を析出可能で、レーザー照射により表面プラズモン増強効果が得られる領域を有することを特徴とする癌関連物質ラマン定量用バイオチップ。
【請求項２】
複合針状ナノ結晶群が銀錯体量子結晶をハロゲンイオンの存在下でアルカリ処理して得られる請求項１記載のバイオチップ。
【発明の詳細な説明】
【技術分野】
【０００１】
本発明は、血中の癌関連物質であるタンパクをＳＥＲＳ法で定量するラマン定量用バイオチップに関する。
【背景技術】
【０００２】
従来より、癌の診断方法の一つとして、癌の進行に伴って血液中に現れ、増加する癌関連物質を検出する方法が用いられる。ここで、癌関連物質とは、ガン患者の体液から抽出される癌特有物質であり、一般に癌化した細胞が破壊されたりした場合に血液中に遊離してくる、その破壊された癌細胞由来のタンパク質をさす。そして、従来の癌の診断方法では、血液中の癌関連物質の定量値がある一定値以上の場合に、被験者が癌に罹患している可能性があると判定される。
【０００３】
このように癌化した細胞の破壊等によって血液中に遊離してくる癌関連物質としては、タンパク質だけではなく、ＤＮＡも同様に遊離してくることが知られている。そして、健常人と癌患者とで比較すると、血液中の癌細胞由来の遊離ＤＮＡ（循環腫瘍ＤＮＡ：ｃｔＤＮＡ）の量は、癌患者の方が健常人よりも有意に多いことが報告されている。したがって、血液などの体液中の癌細胞由来の遊離ＤＮＡを定量することで、被験者が癌に罹患しているか否か診断することが可能になると考えられ、このような癌の診断方法として、例えば、ポリメラーゼ連鎖反応（ＰＣＲ）法等で増幅される２００ｂｐ以上のＤＮＡが、体液や体外に排出された糞便中などに検出された場合、被験者が癌に罹患している可能性があると診断し、さらにそのＤＮＡの変異を解析する方法（特許文献１）、体液などに含まれる細胞残渣由来のゲノムＤＮＡを定量し、その値がある一定値以上の場合に、さらにＤＮＡ検査を行う方法（特許文献２）が提案されている。
【０００４】
ところで、診断によって癌に罹患していることが判明しても、体液中のＤＮＡを定量するだけでは、癌が発生している臓器を特定するまでには至らない。そして、癌が発生している場合には、その発生している臓器により、特異的なＤＮＡの変異が生じていることが知られている。したがって、ＤＮＡの変異の種類を明らかにすることで、癌が発生している臓器を特定できる可能性がある。ここでＤＮＡの変異としては、ＤＮＡの点突然変異、染色体の欠失や増幅などの構造異常が挙げられる。例えば、膵臓癌の約７割には、Ｋ−ｒａｓ遺伝子に点突然変異が生じていることが知られている。また、ヘテロ接合の欠失（Ｌｏｓｓ  ｏｆ  ｈｅｔｅｒｏｚｙｇｏｕｓ、以下、ＬＯＨと略記する）の解析でも、各癌種に特異的な染色体腕の欠損が報告されており、例えば、肺癌では３番染色体の短腕にＬＯＨが集中していることが知られている。また、乳癌では８番染色体の長腕の増幅や、ＲＢ２の増幅が知られている。そこで、癌細胞由来のＤＮＡを定量して癌の診断を高精度に行う方法を提供すべく、被験者から採取した血漿より遊離ＤＮＡを抽出する工程と、抽出した遊離ＤＮＡを定量して血漿単位体積あたりの遊離ＤＮＡを算出する工程と、算出した遊離ＤＮＡの算出値を第１しきい値以上の第２しきい値と比較する工程と、算出値が第１しきい値未満の場合は被験者の癌羅患可能性が高いと判定し、他方第２しきい値以上の場合は正常細胞由来のＤＮＡが血漿中に混入しているという癌の診断方法が提案されている（特許文献３）。
【先行技術文献】
【特許文献】
【０００５】
【特許文献１】米国特許第６１４３５２９号明細書
【特許文献２】米国特許２００４／０２５９１０１Ａ１号明細書
【特許文献３】国際公開２００８/０９０９３０号
【特許文献４】特開２０１１-８１００１号公報
【発明の開示】
【発明が解決しようとする課題】
【０００６】
しかしながら、例えば、全血中の癌細胞由来の遊離ＤＮＡを定量しようとしても、その量は微量であるのに対して、全血中には正常細胞であるリンパ球由来のＤＮＡが大量に含まれている。したがって、全血からそのままＤＮＡを抽出しても、癌細胞由来の遊離ＤＮＡを定量することは困難である。そこで、例えば、全血から分離した血漿を用い、血漿中の癌細胞由来の遊離ＤＮＡを抽出して定量する方法が考えられるが、ＤＮＡの抽出方法によっては、リンパ球等の正常細胞由来のＤＮＡが混入することがあり、癌細胞由来の遊離ＤＮＡではなく、正常細胞由来のＤＮＡを定量してしまう場合があり、癌の診断を誤る可能性がある。そこで、癌の正確な診断には、癌細胞由来の遊離ＤＮＡを正確に定量することが重要ではあり、微量の遊離ＤＮＡを如何にして簡易迅速に抽出するか、正常細胞由来のＤＮＡを如何にして除去して遊離ＤＮＡの検出精度を向上させるか、如何にして微量のＤＮＡを精度よく検出するかが癌の適切な診断には必要である。
【０００７】
ところで、血中の微量ＤＮＡを分析する手法としてラマン分光分析技法を使用して、定性的および定量的に検出するハイスループット手段の提供が必要とされるが、ＳＥＲＳ現象は、１）メカニズムが完璧に理解されていないばかりか、２）正確に構造的に定義されているナノ物質合成及び制御の困難性と、３）スペクトルを測定する時使用される光の波長、偏光方向による増強効率の変化などにより、再現性及び信頼性側面で解決すべき問題が多く、ナノ−バイオセンサーの開発及び商用化を始めとしたＳＥＲＳ現象の応用に大きい課題として残っており、ナノワイヤとナノパーティクルのハイブリッド構造を利用して、生体抽出物及び蛋白質、ＤＮＡのようなバイオ分子のＳＥＲＳ信号の増強と測定の再現性、敏感度及び信頼度向上を図る技術が提案されている(特許文献４)が、ナノワイヤとナノパーティクルのハイブリッド構造が受容体を介して被測定対象を吸着させるもので、微量な癌細胞由来のＤＮＡを検出する方法としては適切なものでない。
【課題を解決するための手段】
【０００８】
そこで、本発明者らは、検出対象とすべきは、癌が発症しやすい又は発症しているときに血液中で増加する癌関連物質であるタンパク、例えば癌細胞由来の遊離ＤＮＡを、受容体を介することなく、直接検出するのが最善であると考え、鋭意研究を行った。
【０００９】
ここで、検出すべき対象の遊離DNAは糸巻きに相当するヒストンというタンパク質に巻き付いており、ひと巻きされた単位構造（1セット）はヌクレオソームと呼び、ヌクレオソームが集まりひも状になった構造をクロマチン（線維）と呼ぶ。そして、細胞ががん化して分裂を繰り返すとき、がんが増えるのに都合の悪い遺伝子（がん抑制遺伝子）が出てこないようしっかりヒストンに巻きついて蓋をし、ヒストンへの巻き方をさらにきつくして、DNAが簡単にはほどけないようにして、メチル化という修飾が起こっているが、通常ヒストンは（＋）、DNAは（−）にチャージされていて、2つは磁石のようにくっつきあい、しかもメチル化して解けないようになっており、ヒストンに巻き付いたDNAは（＋）に帯電している（図11（a）参照）。他方、アセチル化は（−）にチャージするため、通常は（＋）のヒストンがアセチル化されれば、（−）同士となってDNAと反発する。すると、DNAという‘糸’がヒストンからほどけて遺伝子が発現するメカニズムとなっている（図11（b）参照）。したがって、癌細胞由来の遊離ＤＮＡを選択的に吸着させるには、ヒストンに巻き付いたDNAは（＋）に帯電しているので、吸着させる基板は（−）に帯電しているのが好ましいと考えられる。
【００１０】
ところで、本発明者らはチオ硫酸銀水溶液を銅合金上で凝集させることにより銀錯体の量子結晶を化学還元法を採用して形成しているが、かかる銀錯体をハロゲンイオンの存在下にアルカリ処理（次亜塩素酸で処理）すると、以下の反応によりハロゲンイオンを核として銀ハロゲン化物またはハロゲンを含む銀酸化物の複合物の針状ナノ結晶群が形成され（図９）、しかも水中で（−）荷電を帯びる一方、ヒストンに巻き付いてＤＮＡが（＋）荷電を帯びるため（図１１(a)）、この遊離ＤＮＡに代表される正電荷を帯びた癌関連物質を選択的に吸着することを見出した。しかも銀ハロゲン化物またはハロゲンを含む銀酸化物の複合物の針状ナノ結晶群はレーザー光の照射により還元され、金属銀を析出するため、レーザー光照射により表面プラズモン増強効果を示し、吸着された遊離ＤＮＡに代表される癌関連物質を検出する表面増強ラマン散乱（ＳＥＲＳ）が得られることを見出した。
Na2S2O3+４NaClO＋H２O  →Na2SO4+H2SO４＋４NaCl  
Ag+ + NaCl →  AgCl  ＋  Na+
Ag+ ＋ ３NaOCl →  ２AgCl  ＋  NaClO3  ＋  2Na+
Ag+ +  OH-   →  AgOH
２Ag＋＋  ２OH  →  Ag2O  ＋H2O  （米国特許第４４７８９４３号参照）
【００１１】
本発明は上記知見に基づいて、なされたもので、銀ハロゲン化物又はハロゲンを含む銀酸化物の複合針状ナノ結晶群を含み、水中で負電荷を示し、正電荷の癌関連物質を吸着して電荷移動錯体を形成可能であるとともに光照射により銀粒子を析出可能で、レーザー照射により表面プラズモン増強効果が得られる領域を有することを特徴とする癌関連物質測定用バイオチップを要旨とするものである。
【発明の効果】
【００１２】
本発明の銀ハロゲン化物又はハロゲンを含む銀酸化物の複合針状ナノ結晶群は銀イオン水溶液をAg/AgCl電極を用いて定電位電析を行って形成することができるが、銀錯体量子結晶をハロゲンイオンの存在下でアルカリ処理することによって容易に形成することができる。
【００１３】
また、本発明のバイオチップを用いることにより、ラマン分析により、血中含む生体試料中の、癌関連物質、例えば癌細胞由来の遊離ＤＮＡを以下の方法で定量することができる。すなわち、銀ハロゲン化物又はハロゲンを含む銀酸化物の複合針状ナノ結晶群を含む領域を有するバイオチップを用意し、該バイオチップの針状ナノ結晶群領域に血清又は生体試料液を滴下し、試料中の正電荷を有する癌関連物質を選択的に吸着し、吸着した癌関連物質に対しレーザー照射してそこからのラマン散乱光を検知する工程により、表面増強ラマン散乱（SERS）の強度により癌疾病を判断することができる。
【００１４】
血清中の癌関連物質としては、癌細胞由来のヒストンにＤＮＡが巻きついてなる遊離ＤＮＡ（循環腫瘍ＤＮＡ）、そのひと巻きされた単位構造（1セット）のヌクレオソームが集まりひも状になった構造のクロマチン（線維）を含む。また、正電荷を帯びるグロブリンを含むが、その増加は他の癌関連物質に比べて最大2倍以下であるので、本発明で検知される物質のがん進行に伴う増加が１００倍以上に達するのでグロブリン以外の増加（がん細胞由来遊離ＤＮＡ）が検知されていることを物語っている。また、正常細胞から出るＤＮＡ、アセチル化してヒストンが解離したＤＮＡ、そしてアルブミンは血清中の約６０％を占めるが、負荷電を帯びるため、本発明では吸着されない。したがって、癌関連物質の定量検査には好都合である。
【００１５】
また、本発明の針状ナノ結晶は、ハロゲン化物および酸化物は水溶液中で負電荷を帯びやすく、試料（ターゲット分子）と接触して電荷移動錯体を形成すると思われる。さらに、銀ハロゲン化物および酸化物は光エネルギーを受けて還元され、金属銀を析出するので、規則的に配列する金属ナノ粒子の持つ局在表面プラズモン共鳴増強効果を有することになる。したがって、本発明の複合針状ナノ結晶は非金属であるが金属性質とイオン化性質を兼ね備えるため、表面増強ラマン散乱（SERS）測定用に好適なバイオチップを提供できる。
【００１６】
量子結晶を形成する金属錯体は担持金属の電極電位Ｅと相関する式（Ｉ）で示される錯体安定度定数（ｌｏｇβ）以上を有するように選択される。
式（Ｉ）：Ｅ゜＝ （ＲＴ／｜Ｚ｜Ｆ）ln（βi）
（ここでＥ゜は、標準電極電位、Ｒは、気体定数、Ｔは、絶対温度、Ｚは、イオン価、Ｆは、ファラデー定数を表す。）
【００１７】
金属錯体が、Ａｕ、Ａｇ、ＰｔまたはＰｄから選ばれるプラズモン金属の錯体である場合は、ラマン光に対して局在表面プラズモン共鳴増強効果を有する。
【００１８】
金属錯体が銀錯体であるときは、安定度定数（生成定数）（ｌｏｇ βi）が８以上の銀錯化剤とハロゲン化銀との反応により形成されるのがよい。、
【００１９】
ハロゲン化銀としては塩化銀が好ましく、錯化剤としてはチオ硫酸塩、チオシアン酸塩、亜硫酸塩、チオ尿素、ヨウ化カリ、チオサリチル酸塩、チオシアヌル酸塩から選ばれる１種であるのが好ましい。
【００２０】
銀錯体は平均直径が５〜２０ｎｍであるナノクラスタからなる量子ドットを有し、量子結晶のサイズが１００〜２００ｎｍとなる。
【００２１】
金属錯体の水溶液中の濃度は主として形成する量子結晶のサイズを考慮して決定すべきであり、分散剤を使用するときはその濃度をも考慮するのがよい。通常、１００ｐｐｍから５０００ｐｐｍの範囲で使用できるが、配位子の機能にも依存してナノクラスタというべきナノサイズを調製するには５００から２０００ｐｐｍの濃度が好ましい。
【００２２】
金属基板又は金属粒子上に形成された量子結晶は金属錯体結晶として水溶液中では正極性を持ちやすいものと思われ、生体試料中のタンパク質を吸着固定するためには、ハロゲンイオンの存在下でアルカリ処理、例えばｐＨ１１以上の次亜塩素酸ソーダ水溶液を滴下して極性を調整するのが好ましい。量子結晶が負極性となるだけでなく、ハロゲン化物および酸化物の複合針状ナノ結晶を形成するので、試料中癌関連物質が正電荷を持つ癌細胞由来の遊離ＤＮＡの固定化を促進することができる。
【００２３】
生体試料中の総タンパク濃度の定量は、特定波長のレーザー光を照射してラマンスペクトルを得ることにより知ることができる。図３は大腸ガン患者の血清試料であり、それを１０倍、１００倍、５００倍、１０００倍および一万倍に純水で希釈して６３３ｎｍのレーザー（３０ｍＷ）で測定したラマンスペクトルであり、濃度とともにピーク上昇値（ＰＳＶ）およびピーク積分値が変化する。よって、血清中の総タンパク質の定量分析を行うことができることがわかる。
【００２４】
得られたラマンスペクトルのピーク高さ、ピーク積分値、ピーク発現時間などの情報から癌の同定および進行状態を解析することができる。図１はラマン波形のピーク算出法を示し、ヒト血清サンプルの６３３ｎｍレーザーによるラマン散乱のスペクトルは１３５０ｃｍ−１近辺と１５５０ｃｍ−１近辺に散乱強度のピークを形成することが確認される。よって、８００ｃｍ−１（ａ）と２０００ｃｍ−１（ｂ）の散乱強度の平均値（m）を基準とした最大上昇値（ｐ−ｍ）をピーク上昇値（Shifting  Peak  Value：ＰＳＶ）として定義した。また、ピーク全体の面積をピーク積分値として定義した。これらのピーク上昇値およびピーク積分値はヒト血清中の癌関連物質を見る上で重要であり、ピーク発現時間とともに、ガンの同定および進行度を示す指標とすることができる。
【図面の簡単な説明】
【００２５】
【図１】ラマン波形のピーク算出法を示し、ヒト血清サンプルの６３３ｎｍレーザーによるラマン散乱のスペクトルは１３５０ｃｍ−１近辺と１５５０ｃｍ−１近辺に散乱強度のピークを形成することを示す。
【図２Ａ】胃癌患者１２例から得られた血清を調整した試料のラマンスペクトル図を示す。
【図２Ｂ】大腸がん患者１２例から得られた血清を調整した試料のラマンスペクトル図を示す。
【図２Ｃ】良性疾患患者１２例から得られた血清を調整した試料のラマンスペクトル図を示す。
【図２Ｄ】胃癌、大腸がん、良性疾患試料のラマン散乱ピーク上昇値の比較を示すグラフである。
【図３】大腸がん患者１２例から得られた血清を調整した希釈試料とラマン散乱強度との関係を示すラマンスペクトルで、試料濃度と散乱強度ピーク上昇値が相関関係にあることを示す。
【図４】実施例１で示す新規SERS基板作成法の手順を示す説明図で、左上の有限会社マイテック製基板は右横のSEM像を示す写真である。
【図５】実施例１で製造したナノ粒子凝集体（量子結晶）の各種SEM像を示す写真である。
【図６】ナノ粒子の拡大SEM像を示す。
【図７】りん青銅坂上に滴下後の放置時間と量子結晶形状の関係を示す写真である。
【図８】量子結晶のEDSスペクトル（元素分析）の結果を示すグラフである。
【図９】量子結晶をハロゲンイオンの存在下にアルカリ処理（次亜塩素酸処理）した場合のＳＥＭ像である。
【図１０Ａ】アルカリ処理した量子結晶中の針状結晶を示す図である。
【図１０Ｂ】ラクビーボール状の塊を示す図である。
【図１０Ｃ】大きい塊のEDSスペクトル（元素分析）の結果を示すグラフである。
【図１１】メチル化した遊離ＤＮＡ(a)とアセチル化したＤＮＡ(b)の機能説明図である。
【発明を実施するための形態】
【００２６】
図面を参照して、本発明の実施形態を詳細に説明する。
(実施例１）
図４に示すように、チオ硫酸銀１０００ppm水溶液を調製し、その1滴をりん青銅板上滴下し、約3分間放置し、溶液を吹き飛ばすと、右横のSEM像を示す量子結晶が作成されていた。
図５は実施例１で製造したナノ粒子凝集体（量子結晶）の各種SEM像を示す写真であり、図６はナノ粒子の拡大SEM像を示す。１００nm前後の薄い六角柱状結晶であって、表面に数nmオーダの凹凸が発現している。金属ナノ結晶に特有のファセットは確認できなかった。
図７はりん青銅坂上に滴下後の放置時間と量子結晶形状の関係を示す写真である。まず、六角形の量子結晶が生成し、形状を維持しつつ成長するのが認められる。
図８は量子結晶のEDSスペクトル（元素分析）の結果を示すグラフである。りん青銅板上に形成された結晶は銀及び錯体配位子由来の元素を検出したが、銅板上にチオ硫酸銀１０００ppm水溶液を調製し、その1滴を滴下し、約3分間放置し、溶液を吹き飛ばした場合は、銀のみを検出したに過ぎなかった。
【００２７】
（量子結晶の作成の考察）
量子結晶は１０００ppmチオ硫酸銀錯体水溶液の場合、りん青銅板上に滴下して3分間放置すると、１００nm前後の六角柱状に形成され、各六角柱状の量子結晶は数nmオーダの凹凸を持つことがSEM像から確認された（図４、図５及び図６）が、金属ナノ結晶に特有のファセットは確認できず、EDS元素分析で銀及び錯体配位子由来の元素を検出されたため、全体は銀錯体のナノ結晶であって、その表面に現れる凹凸は錯体中の銀がクラスタとして量子ドットを形成して広がっていると推測される。本発明の銀錯体量子結晶がりん青銅板上に形成される一方、銅基板上には銀のみのナノ粒子が析出する現象を見ると、チオ硫酸銀錯体の平衡電位が０．３３で銅の電極電位（０．３４）と同等であるため、銅基板上には銀（０．８０）のみが析出し、りん青銅の場合は０．２２と電極電位がわずかに卑であるため、銀錯体の結晶が析出したものと思われる。したがって、量子結晶を作成するためには１）錯体水溶液が５００〜２０００ppmという希薄な領域であること、２）金属錯体水溶液の平衡電位に対し担持金属の電極電位がわずかに卑であること、３）電極電位差で金属錯体が凝集させることが重要であると思われる。また、１０００ｐｐｍチオ尿素銀錯体水溶液を使用した場合も同様であった。
(実施例２）
【００２８】
実施例１で調整したりん青銅板上のチオ硫酸銀量子結晶基板にｐＨ１１の次亜塩素酸ナトリウム水溶液を滴下し、３分後水溶液を吹き飛ばし、その直後、胃癌患者１２例から得られた血清を純粋で１０倍希釈して調整した試料、大腸がん患者１２例から得られた血清を純粋で１０倍希釈して調整した試料および良性疾患患者１２例から得られた血清を純粋で１０倍調整した試料のそれぞれを６３３ｎｍのレーザー光を照射してラマンスペクトルを測定した。胃がんおよび大腸がんの進行度とピーク上昇値およびピーク積分値との間には相関関係が認められるということができる。また、胃がんの場合、ラマンスペクトルはレーザー照射後１分後に、大腸がんの場合はレーザー照射後２〜３分後にラマンスペクトルにピークが発現した。また、Ｄは胃癌、大腸がん、良性疾患試料のラマン散乱ピーク上昇値の比較を示すグラフである。良性疾患患者に対し、胃癌試料および大腸がん試料のピークは有意に高いことが認められる。胃癌試料と大腸がん試料とはピーク上昇値では差を見つけるのが困難であるということができるが、ピーク発現時間およびピーク積分値を考慮すると、両者のがん同定は可能であるということができる。
【００２９】
（複合針状ナノ結晶についての考察）
上記量子結晶基板に５％次亜塩素酸ソーダ水溶液を滴下して２分間処理して除去すると図９に示す結晶構造が見られ、針状の結晶とラクビーボール状の塊と大きい塊が見られたので、それぞれの組成をEDSスペクトル（元素分析）で分析すると、以下の反応式から図１０の結果を示すグラフ（a）,(b),(c)に示すように針状の結晶はともに塩化銀と酸化銀の複合結晶からなるものと考えられるが、（a）針状の結晶は塩素リッチな銀酸化物,  （ｂ）ラクビーボール状の塊は銀リッチな銀酸化物,(c) 大きい塊は次亜塩素酸の残渣と判断でき、針状の結晶が集まってラクビーボール状の塊を形成すると考えられる。
Na2S2O3+４NaClO＋H２O  →Na2SO4+H2SO４＋４NaCl  （１）
Ag+ + NaCl →  AgCl  ＋  Na+      （２）
Ag+ ＋ ３NaOCl →  ２AgCl  ＋  NaClO3  ＋  2Na+    （３）
Ag+ +  OH-   →  AgOH            （４）
２Ag＋＋  ２OH  →  Ag2O  ＋H2O      （５）
チオ硫酸銀の量子結晶を次亜塩素酸水溶液、０．０１規定苛性ソーダ水溶液、０．０１規定塩酸水溶液、０．１モル炭酸ナトリウム水溶液で処理しても同様の結果は得られなかったので、この針状結晶の形成には銀イオンとチオ硫酸イオンの存在下に上記酸化反応により生ずるものと思われる。
塩化銀及び酸化銀は水溶液中で負電荷を帯び、光により還元されて金属銀を析出させるので、正電荷の癌関連物質を吸着し、しかも吸着した癌関連物質と銀粒子との間の表面プラズモン増強効果が得られるものと思われる。
【産業上の利用可能性】
【００３０】
したがって、本発明を利用することにより、血および生体試料中の癌関連物質を選択的に検出することができるので、ラマンスペクトルより癌の早期発見、癌の進行度に関する判定を行うことができる。
【図１】
2014238384.tif 000003
【図２Ａ】
2014238384.tif 000004
【図２Ｂ】
2014238384.tif 000005
【図２Ｃ】
2014238384.tif 000006
【図２Ｄ】
2014238384.tif 000007
【図３】
2014238384.tif 000008
【図４】
2014238384.tif 000009
【図５】
2014238384.tif 000010
【図６】
2014238384.tif 000011
【図７】
2014238384.tif 000012
【図８】
2014238384.tif 000013
【図９】
2014238384.tif 000014
【図１０Ａ】
2014238384.tif 000015
【図１０Ｂ】
2014238384.tif 000016
【図１０Ｃ】
2014238384.tif 000017
【図１１】
2014238384.tif 000018